(57)【要約】 【課題】  電子装置の接続部が露出することを防止して、かつ接続部にケーブルを簡便に接続可能な電子装置および接続用の治具を提供する。【解決手段】  案内部５によって、外部の電子機器と本発明のナビゲーション装置１と接続するためのケーブル類を、パネルディスプレイ６が非基準位置において、装置本体４の接続部３に案内されるので、操作者が前記ケーブル類を接続部３に接続することが困難な場合であって、容易にかつ簡単に接続部３にケーブル類を案内して接続することができ、従来の技術のように、接続部３が露出した位置ではなく、隠れた位置に設けられた場合であっても、ケーブル類を接続部３に接続することができるので、接続部３の配置を隠れた位置に変更してもよく、変更することによって操作者が接続部３に不所望に接触することを防ぐことができ、これによって操作者が接続部３に不所望に接触することに起因する不具合を確実に防止することができる。【選択図】      図１
2007237968.tif 000002
【特許請求の範囲】
【請求項１】
電子装置本体の一表面部に設けられる表示部と、
前記表示部を、電子装置本体に沿う基準位置と、該基準位置とは異なる非基準位置とにわたって位置切替え可能なチルト手段と、
電子装置本体の一表面部に設けられ、外部の電子機器と当該電子装置とを接続するための接続部材と接続可能な接続部であって、表示部が基準位置および非基準位置にある場合、表示部に対向する位置に設けられる接続部とを含むことを特徴とする電子装置。
【請求項２】
チルト手段は、接続部と表示部との間に接続部材を配置可能な作業空間を形成する非基準位置に、表示部を位置切替え可能であることを特徴とする請求項１記載の電子装置。
【請求項３】
接続部材を、前記非基準位置において、接続部に案内する案内手段を含むことを特徴とする請求項１または２記載の電子装置。
【請求項４】
前記案内手段は、前記接続部材を接続部に導く溝部を含むことを特徴とする請求項３に記載の電子装置。
【請求項５】
前記接続部付近を照明する照明手段を含むことを特徴とする請求項１〜４のいずれか１つに記載の電子装置。
【請求項６】
請求項１〜５のいずれか１つに記載の電子装置が備える接続部と、接続部材とを非基準位置で接続するための治具であって、
接続部材を保持し、接続部と表示部との間の作業空間で、接続部材と接続部とを接続する接続状態と、非接続状態とにわたって着脱可能に構成されることを特徴とする治具。
【請求項７】
前記治具の先端部には、照明手段が設けられることを特徴とする請求項６記載の治具。
【発明の詳細な説明】
【技術分野】
【０００１】
本発明は、外部の電子機器と通信可能な電子装置および、電子装置と通信するために用いられるケーブルの治具に関する。
【背景技術】
【０００２】
ハードディスクドライブ（Hard Disk Drive：略称ＨＤＤ）が内蔵されるカーナビゲーションシステムは、ＨＤＤに記憶される地図情報などを更新する場合、ＨＤＤをカーナビゲーションシステムから取り外すことなく、通信用のケーブルを用いて外部の情報端末装置とカーナビゲーションシステムとを接続して、ＨＤＤに記憶される情報を最新の情報に更新する。このような先行資料が開示されている。
【０００３】
従来の電動パネル装置では、電動パネル装置と外部の情報端末装置とを接続するための接続部に関する技術が開示されている。電動パネル装置では、電動パネルがオーディオ本体に対してチルト動作可能であり、電動パネルがクローズの状態ではオーディオ本体に設けられるコネクタが隠れており、電動パネルがオープンの状態ではコネクタが露出するように構成されている。このようなコネクタを用いて、オーディオ本体に記憶される情報が変更可能に構成されている（たとえば特許文献１参照）。
【０００４】
【特許文献１】特開２００３−７２４７７号公報
【発明の開示】
【発明が解決しようとする課題】
【０００５】
前述の従来の技術では、電動パネルがオープンの状態では、コネクタなどの接続部が露出しているため、操作者が容易に接触可能な位置にある。したがって操作者が誤ってコネクタに接触するおそれがあり、誤って接触すると静電気などに起因して故障が発生するなどと言った問題がある。
【０００６】
本発明の目的は、電子装置の接続部が露出することを防止し、また接続部にケーブルを簡便に接続可能な電子装置および接続用の治具を提供することである。
【課題を解決するための手段】
【０００７】
本発明（１）は、電子装置本体の一表面部に設けられる表示部と、
前記表示部を、電子装置本体に沿う基準位置と、該基準位置とは異なる非基準位置とにわたって位置切替え可能なチルト手段と、
電子装置本体の一表面部に設けられ、外部の電子機器と当該電子装置とを接続するための接続部材と接続可能な接続部であって、表示部が基準位置および非基準位置にある場合、表示部に対向する位置に設けられる接続部とを含むことを特徴とする電子装置である。
【０００８】
また本発明（２）は、チルト手段は、接続部と表示部との間に接続部材を配置可能な作業空間を形成する非基準位置に、表示部を位置切替え可能であることを特徴とする。
【０００９】
さらに本発明（３）は、接続部材を、前記非基準位置において、接続部に案内する案内手段を含むことを特徴とする。
【００１０】
さらに本発明（４）は、前記案内手段は、前記接続部材を接続部に導く溝部を含むことを特徴とする。
【００１１】
さらに本発明（５）は、前記接続部付近を照明する照明手段を含むことを特徴とする。
さらに本発明（６）は、前記電子装置が備える接続部と、接続部材とを非基準位置で接続するための治具であって、
接続部材を保持し、接続部と表示部との間の作業空間で、接続部材と接続部とを接続する接続状態と、非接続状態とにわたって着脱可能に構成されることを特徴とする治具である。
【００１２】
さらに本発明（７）は、前記治具の先端部には、照明手段が設けられることを特徴とする。
【発明の効果】
【００１３】
本発明（１）によれば、接続部は、表示部が基準位置および非基準位置にある場合、表示部に対向する位置に設けられる。これによって接続部は、表示部に対向する位置に設けられるので、操作者によって目視が困難な位置に配置される。したがって、従来の技術のように、接続部が露出した位置ではなく、隠れた位置に設けらる。これによって操作者が接続部に不所望に接触することを防ぐことができる。したがって操作者が接続部に不所望に接触することに起因して故障するなどといった不具合を確実に防止することができる。
【００１４】
また本発明（２）によれば、チルト手段によって、接続部と表示部との間に接続部材を配置可能な作業空間を形成する非基準位置に、表示部を位置切替え可能である。これによって表示部が非基準位置にあっても、作業空間を利用して、接続部に接続部材を接続することができる。したがって操作者は、接続部に接続部材を接続を希望する場合のみ、接続部に接続部材を接続することができる。
【００１５】
さらに本発明（３）によれば、案内手段によって、接続部材が、前記非基準位置において、接続部に案内される。電子装置本体が非基準位置に配置されて、操作者が接続部材を接続部に接続することが困難な場合であっても、案内手段によって接続部材が案内されるので、容易にかつ簡単に接続部に接続部材を案内して接続することができる。したがって、従来の技術のように、接続部が露出した位置ではなく、隠れた位置に設けられた場合であっても、接続部材を接続部に接続することができる。
【００１６】
さらに本発明（４）によれば、案内手段は、接続部材を接続部に導く溝部を含むので、操作者が接続動作を実行する場合に、確実に接続部材を接続部に導くことができる。これによって操作性が向上する。
【００１７】
さらに本発明（５）によれば、前記接続部付近を照明する照明手段を、さらに備えるので接続部が隠れた位置であって、接続部付近が暗い位置であっても、照明手段によって操作者は接続部の詳細な位置を視認することができる。これによって接続動作をより円滑に実行することができ、操作性がさらに向上する。
【００１８】
さらに本発明（６）によれば、治具は、接続部材を保持し、接続部と表示部との間で、接続部材と接続部とを接続する接続状態と、非接続状態とにわたって着脱可能に構成される。接続部材は、柔軟性を有するので、操作者が接続部材を保持して接続部に導くことができない位置に接続部が配置されると、接続動作が困難であるが、接続部材を保持することによって接続部の位置にかかわらず、接続部材を簡便に接続部に導くことができる。したがって接続部が操作者によって直接接触できないような位置に設けられた場合であっても、本発明の治具を用いることによって、接続部材を接続部に接続することができる。
【００１９】
また表示部が非基準位置に配置されても、表示部と接続部との間の作業空間にて、接続状態と、非接続状態とにわたって着脱可能に構成されるので、接続部に接続部材を接続した後、非接続する場合であっても、本発明の治具を用いることによって、非接続状態にすることができる。したがって接続部が操作者によって直接接触できないような位置に表示部が配置された場合であっても、本発明の治具を用いることによって、接続部材を非接続状態から接続部に接続し、再び、非接続状態にすることができる。
【００２０】
さらに本発明（７）によれば、治具の先端部には、照明手段が設けられるので接続部が隠れた位置であって、接続部付近が暗い位置であっても、照明手段によって操作者は接続部の詳細な位置を視認することができる。これによって接続動作をより円滑に実行することができ、操作性がさらに向上する。
【発明を実施するための最良の形態】
【００２１】
以下、図面を参照しながら本発明を実施するための形態を、複数の形態について説明する。各形態で先行する形態で説明している事項に対応している部分には同一の参照符を付し、重複する説明を略する場合がある。構成の一部のみを説明している場合、構成の他の部分は、先行して説明している形態と同様とする。実施の各形態で具体的に説明している部分の組合せばかりではなく、特に組合せに支障が生じなければ、実施の形態同士を部分的に組合せることも可能である。
【００２２】
図１は、本発明の実施の一形態のナビゲーション装置１の一部を簡略化して示す側面図であって、ケーブル２が接続されている状態を示す。図２は、ナビゲーション装置１の一部を簡略化して示す側面図であって、ケーブル２が非接続状態にあるナビゲーション装置１を示す。電子装置は、本実施の形態では、ナビゲーション装置１によって実現され、たとえば自動車に搭載されて、現在位置表示や目的地までの経路案内表示を行い、運転者の進路決定などに役立てられる。
【００２３】
ナビゲーション装置１は、電気的な構成としては、人工衛星からの電波を利用して車両位置を検出するＧＰＳシステム、地図情報が記憶されるハードディスクドライブ（Hard
Disk Drive：略称ＨＤＤ）、および経路探索手段を含んで構成される。位置検出手段として機能するＧＰＳシステムは、ナビゲーション装置１の現在位置を検出する。ＧＰＳシステムは、人工衛星からの測位電波を受信して現在位置を検出するＧＰＳ（Global
Positioning System）受信機、移動距離を測定する車速パルス発生装置（車両の速度計に用いられているものを兼用）と進行方向を検出する振動ジャイロセンサと路面傾斜を測定する傾斜計とからなる自律航法センサ、携帯電話機、または、ＰＨＳ（Personal
Handyphone System）などで実現され、ナビゲーション装置１の現在位置を検出し、検出された現在位置に基づく情報を、経路探索手段に与える。経路探索手段は、ＧＰＳシステムによって検出される現在位置と、ハードディスクドライブに記憶される地図情報とに基づいて、目的地までの経路を探索する。
【００２４】
ハードディスクドライブに記憶される地図情報は、時間の経過とともに、建物および道路などの建築および取り壊しなどによって、変化する情報であるので、定期的に最新の情報に更新する必要がある。ハードディスクドライブを用いるナビゲーション装置１では、ナビゲーション装置１に設けられる接続部３に接続部材であるケーブル２を機械的および電気的に接続することによって、外部の電子機器と通信可能に構成され、たとえばパーソナルコンピュータ（Personal Computer略称：ＰＣ）によって実現される外部の電子機器から新たな地図情報を送信して、新たな地図情報を記憶可能に構成される。
【００２５】
ナビゲーション装置１は、機械的な構成としては、ナビゲーション装置本体（以下、「装置本体」ということがある）４、案内部５（図７および図８参照）、パネルディスプレイ６およびチルト手段（図示せず）を含んで構成される。装置本体４は、前記接続部３を含んで構成され、表示部であるパネルディスプレイ６は装置本体４の一表面部に設けられ、装置本体４に対してチルト動作可能に構成される。
【００２６】
チルト手段は、パネルディスプレイ６をチルト動作させて、パネルディスプレイ６が装置本体４の一表面部に沿う基準位置と、該基準位置とは表示態様の異なる非基準位置とにわたって位置切替え可能である。具体的には、図１で仮想線で示すように、装置本体４の予め定める前後方向一方の前方Ｘ１側の一表面部４ａに設けられるパネルディスプレイ６を、機械駆動によってチルト動作可能に構成される。チルト動作とは、パネルディスプレイ６が装置本体４の一表面部４ａに沿う基準位置から、パネルディスプレイ６の一側部６ａが他側部６ｂよりも前方Ｘ１側に配置される非基準位置に角変位させる動作と同義である。
【００２７】
接続部３は、装置本体４の一表面部４ａに設けられ、外部の電子機器と当該ナビゲーション装置１とを接続するためのケーブルと接続可能である。接続部３は、パネルディスプレイ６が基準位置および非基準位置にある場合、パネルディスプレイ６に対向する位置に設けられる。接続部３は、パネルディスプレイ６が基準位置に配置された状態では、パネルディスプレイ６によって覆われ、かつパネルディスプレイ６が非基準位置に配置されることによって、接続部３が外部に露出する位置に設けられる。さらに具体的には、接続部３は、パネルディスプレイ６が非基準位置にある状態では、操作者が容易に接触できない位置に設けられ、パネルディスプレイ６の表示方向である厚み方向一方とは反対方向の位置に設けられる。換言すると、パネルディスプレイ６が非基準位置に配置された状態で、前方Ｘ１側から見て、隠れる位置に設けられる。
【００２８】
接続部３は、装置本体４の前後方向Ｘに直交する上下方向Ｙ一方の下方向Ｙ１寄りに設けられる。装置本体４の上下方向Ｙ他方の上方向Ｙ２寄りには、コンパクトディスク（
Compact Disk：略称ＣＤ）およびデジタル多機能ディスク（Digital Versatile Disk：略称ＤＶＤ）などのメディアを挿入可能な挿入部が設けられるので、装置本体４を制御するために基板７は、装置本体４の下方向Ｙ１寄りに設けられる。したがって接続部３と装置本体４の基板７とが近接した位置に配置されるので、接続部３が従来の技術のように装置本体４の上方向寄りに配置される場合より、接続部３から基板７への通信速度を向上することができる。
【００２９】
案内部５は、装置本体４に付設され、外部の電子機器とナビゲーション装置１とを電気的にかつ機械的に接続するためのケーブル類を、パネルディスプレイ６が非基準位置において、装置本体４の接続部３に案内する。
【００３０】
接続部３にケーブル２を接続する場合、操作者がナビゲーション装置１を操作することによって、図１に示すように、チルト手段が接続部３とパネルディスプレイ６との間にケーブル２を配置可能な作業空間を形成する非基準位置に、パネルディスプレイ６を位置切替え可能である。接続部３にケーブル２を接続する場合、接続部３にケーブル２を接続を容易にするため、非基準位置にあるパネルディスプレイ６の傾斜角度αが、装置本体４に対してたとえば約６０度に設定される。このようにパネルディスプレイ６を傾斜させることによって、接続部３にケーブル２を案内するための作業空間８を確保することができる。
【００３１】
ケーブル２を円滑に接続部３に接続するために、ケーブル２を保持する治具９が用いられる。図１に示すように、ケーブル２は治具９によって保持されて、ケーブル２と治具９とがケーブル類として接続部３に導かれる。治具９は、ケーブル２の少なくともコネクタ部２ａを保持し、外部の電子機器とナビゲーション装置１とを電気的にかつ機械的に接続可能である。操作者は、ケーブル２を保持する治具９を、装置本体４に対してスライド変位させることによって、外部の電子機器とナビゲーション装置１とを電気的にかつ機械的に接続する接続状態と、図２に示す非接続状態とにわたって着脱可能に構成される。
【００３２】
図３は、治具９を示す正面図である。図４は、治具９を示す平面図である。図５は、治具９を拡大して示す右側面図である。図６は、治具９を拡大して示す左側面図である。図３〜図６では、理解を容易にするため、治具９に保持されるケーブル２を仮想的に示す。ケーブル２は、たとえばＵＳＢ（Universal Serial Bus）ケーブル２によって実現される。
【００３３】
治具９は、大略、軸線方向Ｌに延びる長手状に形成され、軸線方向Ｌに略垂直な厚み方向Ｈに垂直な平面に投影した投影形状が略長方形状に形成される。治具９は、たとえばポリアセタールなどの合成樹脂から成り、金型によって一体形成される。治具９は、ケーブル２のコネクタ部２ａを保持する保持部１０、操作者によって把持される把持部１１、および保持部１０と把持部１１とを連結する連結部１２とを含んで構成される。治具９は、厚み方向Ｈに関してケーブル２を変位させることによって、ケーブル２を保持および保持解除可能に構成される。軸線方向Ｌおよび厚み方向Ｈに略垂直な方向を幅方向Ｄと称する。  保持部１０は、軸線方向Ｌに沿って延び、その軸線方向Ｌの長さ寸法Ｌ１は、少なくともケーブル２のコネクタ部２ａの長さ寸法よりも小さく形成される。保持部１０は、軸線方向Ｌ一方から見てＵ字状の溝部１３が形成され、コネクタ部２ａを収容可能な収容空間１３ａを形成する。
【００３４】
把持部１１は、軸線方向Ｌに沿って延び、その軸線方向Ｌの長さ寸法Ｌ２は、操作者が把持するに必要な長さ寸法であって、操作者が治具９の軸線方向Ｌ一端部を把持が容易な長さ寸法に設定される。把持部１１は、ケーブル２を軸線方向Ｌに沿って収納可能な溝部１３が形成される。また把持部１１の軸線方向Ｌ他端部には、ケーブル２を溝部１３に配置した状態から、ケーブル２が厚み方向Ｈ一方への変位を阻止する阻止部１４が設けられる。阻止部１４は、溝部１３の厚み方向Ｈの開放を阻止するように形成され、ケーブル２を一端、溝部１３の軸線方向Ｌに沿った位置から幅方向Ｄに変位させた後、厚み方向Ｈに変位させることによって、ケーブル２が離脱可能に構成される。
【００３５】
連結部１２は、斜め方向Ｓに沿って延び、斜め方向Ｓ一端部が保持部１０の軸線方向Ｌ他端部に連結され、斜め方向Ｓ他端部が把持部１１の軸線方向Ｌ一端部に連結され、保持部１０と把持部１１と連結部１２は一体に形成される。したがって保持部１０の軸線と把持部１１の軸線とは、軸線方向Ｌに垂直な方向に関してずれた位置に軸線方向Ｌに沿って設けられる。連結部１２は、ケーブル２を斜め方向Ｓに沿って収納可能な溝部１３が斜め方向Ｓに沿って形成される。
【００３６】
各部に形成される溝部１３は、ケーブル２が軸線方向Ｌおよび斜め方向Ｓに沿って不所望に湾曲することがないように、連続するように設けられる。各溝部１３は、厚み方向Ｈ一方に開放し、厚み方向Ｈ他方が塞がれるように構成される。各溝部１３の幅寸法Ｄ１は、保持するケーブル２の直径およびコネクタ部２ａの幅寸法よりやや大きく形成される。各溝部１３の厚み方向Ｈの延びる壁部１５には、幅方向Ｄの内方に突出する突出部１６が軸線方向Ｌに間隔をあけて複数設けられ、本実施の形態では把持部１１に１個、連結部１２に２個、コネクタ部２ａに幅方向Ｄに対をなして２個、設けられる。突出部１６が設けられる部分の溝部１３の幅寸法Ｄ２は、保持するケーブル２の直径およびコネクタ部２ａの幅寸法より同じか、またはやや小さく形成される。図４に示すように、ケーブル２を溝部１３に沿って配置することによって、治具９がケーブル２を保持している状態を維持することができ、また治具９からケーブル２を離脱させることが可能となる。
【００３７】
保持部１０に設けられる突出部１６であって、軸線方向Ｌ一方寄りの一対の突出部１６ａである第１突出部１６ａは、軸線方向Ｌ一端部から予め定める間隔Ｌ３を開けて設けられる。第１突出部１６ａが、軸線方向Ｌ一端部寄りになりすぎて、予め定める間隔Ｌ３が小さすぎると、保持部１０の幅方向Ｄの弾力が弱くなりコネクタ部２ａが離脱しやすくなり、逆に軸線方向Ｌ他端部寄りになりすぎて、予め定める間隔Ｌ３が大きすぎると、弾力が強くなりコネクタ部２ａを装着すること困難となる。したがってこの予め定める間隔Ｌ３は、コネクタ部２ａを保持するために必要な弾力を得ることができ、かつコネクタ部２ａを容易に装着および離脱可能な位置に設定される。
【００３８】
また把持部１１および連結部１２には、溝部１３の底部１７から幅方向Ｄ外方に突出する鍔部１８が設けられる。このような鍔部１８を設けることによって、治具９が軸線方向Ｌに関して不所望に湾曲することを防止することができる。
【００３９】
治具９の軸線方向Ｌの寸法Ｌ０は、パネルディスプレイ６が傾斜角度αが約６０度にある位置で、少なくとも操作者が把持部１１を把持して治具９を操作可能に設定される。したがって治具９の軸線方向Ｌの寸法Ｌ０は、パネルディスプレイ６の一側部６ａと装置本体４との間の寸法より、大きくなるように設定される。また治具９の軸線方向Ｌ０の寸法は、パネルディスプレイ６が傾斜角度αが約６０度にある位置で、ケーブル２を接続部３に接続した状態から接続を解除する方向に変位可能であり、接続解除に必要な軸線方向Ｌの空間が確保されるように設定される。これによってケーブル２を治具９によって接続部３に接続し、かつ接続解除することができる。
【００４０】
また把持部１１の軸線と保持部１０の軸線との厚み方向Ｈに関する寸法Ｈ１は、図１に示すように、接続部３にコネクタ部２ａを案内した状態でパネルディスプレイ６に一側部６ａに当接、もしくは近接するように設定される。また治具９は、図１に示すように、接続部３にコネクタ部２ａを案内した状態では、治具９の厚み方向Ｈ一方が装置本体４の下方向Ｙ１となるように設定される。換言すると、溝部１３のケーブル２の開放方向が装置本体４の下方向Ｙ２となるように設定される。このように設定することによって、カーナビゲーション装置１と、カーナビゲーション装置１が設けられる自動車の内壁などによって、装置本体４の下方向Ｙ１に治具９が挿入する空間が少ない場合であっても、確実に治具９を接続部３に挿入して、ケーブル２を接続することができる。
【００４１】
治具９の寸法は、一例を挙げると、軸線方向Ｌの長さ寸法Ｌ０が約１０２ｍｍであり、厚み寸法Ｈ２が約５ｍｍであり、幅寸法Ｄ３が約１６ｍｍである。
【００４２】
図７は、ナビゲーション装置１を簡略化して示す正面図である。図８は、ナビゲーション装置１を簡略化して示す平面図である。図７および図８では、パネルディスプレイ６が非基準位置に配置されている状態を示す。案内部５は、前記ケーブル類を円滑に接続部３に導く溝部であるガイド部１９を含んで構成される。
【００４３】
案内部５は、図７に示すように、たとえばパネルディスプレイ６の一側部６ａに設けられるガイド部１９によって実現される。このガイド部１９の幅寸法は、治具９の幅寸法Ｄ３よりやや大きくなるように設定され、治具９の幅方向Ｄ両端面部をパネルディスプレイ６のガイド部１９に沿ってスライド変位させることによって、接続部３に治具９が案内される。
【００４４】
また案内部５は、図８に示すように、たとえばパネルディスプレイ６をチルト動作させるためのトレイ２０に設けられる。トレイ２０には、治具９を案内するためのガイド部１９が設けられ、ガイド部１９の幅寸法は、治具９の幅寸法Ｄ３よりやや大きくなるように設定され、治具９の幅方向Ｄ両端面部をパネルディスプレイ６の溝部１３に沿ってスライド変位させることによって、接続部３に治具９が案内される。
【００４５】
以上説明したように、本実施の形態のナビゲーション装置１によると、接続部３は、パネルディスプレイ６が基準位置および非基準位置にある場合、パネルディスプレイ６に対向する位置に設けられる。これによって接続部３は、パネルディスプレイ６に対向する位置に設けられるので、操作者によって目視が困難な位置に配置される。したがって、従来の技術のように、接続部３が露出した位置ではなく、隠れた位置に設けらる。これによって操作者が接続部３に不所望に接触することを防ぐことができる。したがって操作者が接続部３に不所望に接触することに起因して故障するなどといった不具合を確実に防止することができる。
【００４６】
また本実施の形態では、チルト手段によって、接続部３とパネルディスプレイ６との間にケーブル２を配置可能な作業空間を形成する非基準位置に、パネルディスプレイ６を位置切替え可能である。これによってパネルディスプレイ６が非基準位置にあっても、作業空間を利用して、接続部３にケーブル２を接続することができる。したがって操作者は、接続部３にケーブル２を接続を希望する場合のみ、接続部３にケーブル２を接続することができる。
【００４７】
また本実施の形態では、案内部５によって、外部の電子機器とナビゲーション装置１とを電気的にかつ機械的に接続するためのケーブル類を、パネルディスプレイ６が非基準位置において、装置本体４の接続部３に案内される。パネルディスプレイ６が非基準位置に配置されて、操作者が前記ケーブル類を接続部３に接続することが困難な場合であっても、案内部５によってケーブル類が案内されるので、容易にかつ簡単に接続部３にケーブル類を案内して接続することができる。したがって、従来の技術のように、接続部３が露出した位置ではなく、図１に示すように隠れた位置に設けられた場合であっても、ケーブル類を接続部３に接続することができる。これによって接続部３の配置を隠れた位置に設けてもよく、隠れた位置に設けることによって操作者が接続部３に不所望に接触することを防ぐことができる。したがって操作者が接続部３に不所望に接触することに起因する不具合を確実に防止することができる。
【００４８】
また本実施の形態では、案内部５は、前記ケーブル類を円滑に接続部３に導くガイド部１９を含むので、操作者が接続動作を実行する場合に、確実にケーブル類を接続部３に導くことができる。これによって操作性が向上する。
【００４９】
さらに本実施の形態の治具９によると、治具９はケーブル２の少なくともコネクタ部２ａを保持し、外部の電子機器とナビゲーション装置１とを電気的にかつ機械的に接続可能である。ケーブル２は柔軟性を有するので、操作者がコネクタ部２ａを保持して接続部３に導くことができない位置に接続部３が配置されると、接続動作が困難であるが、本実施の形態の治具９を用いることによって接続部３の位置にかかわらず、ケーブル２を簡便に接続部３に導くことができる。したがって接続部３が操作者によって直接接触できないような位置に設けられた場合であっても、ケーブル２を接続部３に接続することができる。
【００５０】
さらに本実施の形態では、治具９は、ケーブル２の少なくともコネクタ部２ａを保持し、外部の電子機器とナビゲーション装置１とを電気的にかつ機械的に接続する接続状態と、非接続状態とにわたって着脱可能に構成される。ケーブル２は柔軟性を有するので、操作者がコネクタ部２ａを保持して接続部３に導くことができない位置に接続部３が配置されると、接続動作が困難であるが、本発明の治具９を用いることによって接続部３の位置にかかわらず、ケーブル２を簡便に接続部３に導くことができる。また接続部３にケーブル２を接続した後、非接続する場合であっても、本実施の形態の治具９を用いることによって、非接続状態にすることができる。したがって接続部３が操作者によって直接接触できないような位置に設けられた場合であっても、ケーブル２を非接続状態から接続部３に接続し、再び、非接続状態にすることができる。
【００５１】
ＨＤＤの記憶される情報を更新する場合、操作者は、特定の操作を行うことによって、自動的に最も治具９を挿入しやすい角度に、パネルディスプレイ６を配置するようにパネルディスプレイ６の位置を制御することが好ましい。これによって、操作者は、パネルディスプレイ６の細かい位置調節することなく、最適な角度にパネルディスプレイ６を容易に配置することができる。したがって操作性が向上する。
【００５２】
また治具９を略長方形状に形成しているので、円柱状に形成した場合では、治具９が接続部３に対して軸線周りに角変位しても角変位した状態を視認することが困難であるが、略長方形状に形成することによって、軸線周りに角変位した場合であっても容易に軸線周りの角度位置を視認して調節することができるので、操作性を向上することができる。また治具９を円柱状に形成する場合よりも、省スペースにすることができる。
【００５３】
次に、本発明の実施の他の形態に関して説明する。図９は、本発明の実施の他の形態のナビゲーション装置１ａの一部を簡略化して示す側面図であって、治具９が案内されている状態を示す。本実施の形態では、コネクタ部２ａを保持する治具９の先端部には、照明手段２０が設けられる点に特徴を有する。照明手段２０は、たとえば発光ダイオード（
Light Emitting Diode：略称ＬＥＤ）などによって実現され、治具９の先端部９ａから軸線方向Ｌ一方に向かって光を出射するように構成される。照明手段２０の電源は、たとえば電池によって実現され、照明手段２０と一体となって治具９の先端に設けられる。
【００５４】
このように、コネクタ部２ａを保持する治具９の先端部には、照明手段２０が設けられるので接続部３が隠れた位置であって、接続部３付近が暗い位置であっても、照明手段２０によって操作者は接続部３の詳細な位置を視認することができる。これによって接続動作をより円滑に実行することができ、操作性がさらに向上する。
【００５５】
次に、本発明の実施のさらに他の形態に関して説明する。図１０は、本発明の実施のさらに他の形態のナビゲーション装置１ｂの一部を簡略化して示す側面図であって、治具９が案内されている状態を示す。本実施の形態では、接続部３付近を照明する照明手段２１を、さらに備える点に特徴を有する。照明手段２１は、たとえばＬＥＤなどによって実現され、パネルディスプレイ６の厚み方向他端面部に設けられ、厚み方向他方に向かって光を出射するように構成される。照明手段２１の電源は、たとえばパネルディスプレイ６に設けられる内蔵基板２２に設けられる。照明手段２１は、操作者が手動で発光するように構成してもよく、または前述のように、治具９を挿入するためにパネルディスプレイ６を非基準位置に配置した場合、照明手段２１が連動して、いわば自動的に発光するように構成してもよい。
【００５６】
このように、接続部３付近を照明する照明手段２１を、さらに備えるので接続部３が隠れた位置であって、接続部３付近が暗い位置であっても、照明手段２１によって操作者は接続部３の詳細な位置を視認することができる。これによって接続動作をより円滑に実行することができ、操作性がさらに向上する。
【００５７】
次に、本発明の実施のさらに他の形態に関して説明する。図１１は、本発明の実施のさらに他の形態のナビゲーション装置１ｃの一部を簡略化して示す側面図である。本実施の形態では、接続部３付近を視認するための鏡などの反射手段２３を、さらに備える点に特徴を有する。平板状の反射手段２３は、たとえばパネルディスプレイ６の厚み方向他端面部に沿って収納され、収納される収納位置から、接続部３付近をパネルディスプレイ６の前方Ｘ１側から視認可能な位置である繰出位置とにわたって繰出可能に設けられる。反射手段２３は、その一端部２３ａがパネルディスプレイ６に対して角変位可能に構成され、操作者は反射手段２３を角変位させることによって、接続部３付近を容易に視認可能な位置に配置することができる。
【００５８】
このように、反射手段２３をさらに備えるので、接続部３付近を容易に視認することができ、接続部３が隠れた位置であっても、反射手段２３によって接続部３の詳細な位置を視認することができる。これによって接続動作をより円滑に実行することができ、操作性がさらに向上する。
【００５９】
次に、本発明の実施のさらに他の形態に関して説明する。図１２は、本発明の実施のさらに他の形態のナビゲーション装置１ｄの一部を簡略化して示す側面図であって、治具９が案内されている状態を示す。本実施の形態では、接続部３付近を撮像するための撮像手段２４、さらに備える点に特徴を有する。撮像手段２４は、たとえば電荷結合素子（
Charge Coupled Device：略称ＣＣＤ）カメラによって実現され、撮像手段２４は、コネクタ部２ａを保持する治具９の先端部９ａに設けられる。撮像手段２４は、治具９の先端部９ａから軸線方向Ｌ一方を撮像するように構成される。撮像手段２４は、撮像した画像情報を装置本体４のビデオ入力端子を介して装置本体４に与える。装置本体４は、与えられた画像情報をパネルディスプレイ６によって表示するように各部を制御する。
【００６０】
このように、撮像手段２４をさらに備えるので、パネルディスプレイ６によって接続部３付近を容易に視認することができ、接続部３が隠れた位置であっても、パネルディスプレイ６によって表示される画像情報によって接続部３の詳細な位置を視認することができる。これによって接続動作をより円滑に実行することができ、操作性がさらに向上する。
【００６１】
前述の実施の各形態では、案内手段はガイド部１９などによって実現されているがこれに限ることはなく、たとえば治具９を挿入するための目印などをパネルディスプレイ６に付けていてもよい。またパネルディスプレイ６に前記目印を表示するように構成してもよい。これによって案内手段を容易に低コストで実現することができる。
【図面の簡単な説明】
【００６２】
【図１】ナビゲーション装置１の一部を簡略化して示す側面図であって、ケーブル２が接続されている状態を示す。
【図２】ナビゲーション装置１の一部を簡略化して示す側面図であって、ケーブル２が非接続状態にあるナビゲーション装置１を示す。
【図３】治具９を示す正面図である。
【図４】治具９を示す平面図である。
【図５】治具９を拡大して示す右側面図である。
【図６】治具９を拡大して示す左側面図である。
【図７】ナビゲーション装置１を簡略化して示す正面図である。
【図８】ナビゲーション装置１を簡略化して示す平面図である。
【図９】ナビゲーション装置１ａの一部を簡略化して示す側面図であって、治具９が案内されている状態を示す。
【図１０】ナビゲーション装置１ｂの一部を簡略化して示す側面図であって、治具９が案内されている状態を示す。
【図１１】ナビゲーション装置１ｃの一部を簡略化して示す側面図である。
【図１２】ナビゲーション装置１ｄの一部を簡略化して示す側面図であって、治具９が案内されている状態を示す。
【符号の説明】
【００６３】
１，１ａ，１ｂ，１ｃ，１ｄ  ナビゲーション装置
２  ケーブル
３  接続部
４  ナビゲーション装置本体
５  案内部
６  パネルディスプレイ
９  治具
１９  ガイド部
２０  照明手段
２１  照明手段
【図１】
2007237968.tif 000003
【図２】
2007237968.tif 000004
【図３】
2007237968.tif 000005
【図４】
2007237968.tif 000006
【図５】
2007237968.tif 000007
【図６】
2007237968.tif 000008
【図７】
2007237968.tif 000009
【図８】
2007237968.tif 000010
【図９】
2007237968.tif 000011
【図１０】
2007237968.tif 000012
【図１１】
2007237968.tif 000013
【図１２】
2007237968.tif 000014